(57)【要約】      （修正有）【課題】回転阻止カバー部に設けた装着孔が、工具のねじ軸を螺合して装着するねじ孔からなる回転阻止カバー体付ワッシャを有する防犯連結ボルト装置を提供する。【解決手段】連結ボルト頭部１のボルト軸２を中心に回転自在に接するワッシャ部１１と、連結ボルト頭部１の周囲を覆う回転阻止カバー部１２とを一体に設け、回転阻止カバー部１２に連結ボルト頭部１に当接して一体に回転可能な工具３０を装着する装着孔１４を設けてなる回転阻止カバー体付ワッシャ１０を有する防犯連結ボルト装置。【選択図】図１
0003121214.tif 000002
【実用新案登録請求の範囲】
【請求項１】
連結ボルト頭部又は連結ナットの締め付け面にボルト軸を中心に回転自在に接するワッシャ部と、連結ボルト頭部又は連結ナットの周囲を覆う回転阻止カバー部とを一体に設けると共に、回転阻止カバー部に連結ボルト頭部又は連結ナットに当接して一体に回転可能な工具を装着する装着孔を設けてなる回転阻止カバー体付ワッシャを有する防犯連結ボルト装置。
【請求項２】
請求項１に記載の装置において、回転阻止カバー部に設けた装着孔が、工具のねじ軸を螺合して装着するねじ孔からなる回転阻止カバー体付ワッシャを有する防犯連結ボルト装置。
【請求項３】
請求項１又は２に記載の装置において、回転阻止カバー部に設けた装着孔に合致する位置に、工具のねじ軸を螺合して装着するねじ孔を有する工具装着リングを回転阻止カバー部に着脱自在に設けてなる回転阻止カバー体付ワッシャを有する防犯連結ボルト装置。
【請求項４】
請求項３に記載の装置のおいて、工具装着リングにハンドルを設けてなる回転阻止カバー体付ワッシャを有する防犯連結ボルト装置。
【考案の詳細な説明】
【技術分野】
【０００１】
本考案は、回転阻止カバー体付ワッシャを有する防犯連結ボルト装置に関する。
【背景技術】
【０００２】
従来、ボルトを締結物に設けた孔にワッシャを介して通し、締付用ナットにねじ込みスパナやモンキーレンチなどの工具によって強く締付けた後に、ボルト頭に空転する防犯カバー体を設け（特許文献１参照。）、或いは、空転可能なワッシャの外周縁に円筒状の防犯カバーを接着して取り付け（特許文献２参照。）、防犯カバー体をパイプレンチ等の工具により回転させようとしても防犯カバー体が空転してボルト・ナットを外すことができないように構成してある。
【特許文献１】特開２００４−３４０３５５号公報
【特許文献２】特開２０００−３９０１２号公報
【考案の開示】
【考案が解決しようとする課題】
【０００３】
従来装置の場合、ボルト・ナットを締結物に締結してから、ボルト・ナットの頭部に防犯カバー体をカシメたり、溶接して取り付ける必要があり、構造が複雑で取り付けに多大の労力を要するのみならず、カシメ加工部分や溶接加工部分に強度的な弱点が生ずる可能性がある。
【課題を解決するための手段】
【０００４】
そこで、本考案は、請求項１に記載の通り、連結ボルト頭部又は連結ナットの締め付け面にボルト軸を中心に回転自在に接するワッシャ部と、連結ボルト頭部又は連結ナットの周囲を覆う回転阻止カバー部とを一体に設けると共に、回転阻止カバー部に連結ボルト頭部又は連結ナットに当接して一体に回転可能な工具を装着する装着孔を設けてなる回転阻止カバー体付ワッシャを有する防犯連結ボルト装置を提供しようとするものである。
【０００５】
また、本考案は、請求項２に記載の通り、請求項１に記載の装置において、回転阻止カバー部に設けた装着孔が、工具のねじ軸を螺合して装着するねじ孔からなる回転阻止カバー体付ワッシャを有する防犯連結ボルト装置を提供しようとするものである。
【０００６】
また、本考案は、請求項３に記載の通り、請求項１又は２に記載の装置において、回転阻止カバー部に設けた装着孔に合致する位置に、工具のねじ軸を螺合して装着するねじ孔を有する工具装着リングを回転阻止カバー部に着脱自在に設けてなる回転阻止カバー体付ワッシャを有する防犯連結ボルト装置を提供しようとするものである。
【０００７】
また、本考案は、請求項４に記載の通り、請求項３に記載の装置のおいて、工具装着リングにハンドルを設けてなる回転阻止カバー体付ワッシャを有する防犯連結ボルト装置を提供しようとするものである。
【考案の効果】
【０００８】
本考案に係る回転阻止カバー体付ワッシャを有する防犯連結ボルト装置によれば、連結ボルト頭部又は連結ナットの締め付け面にボルト軸を中心に回転自在に接するワッシャ部と、連結ボルト頭部又は連結ナットの周囲を覆う回転阻止カバー部とを一体に設けると共に、回転阻止カバー部に連結ボルト頭部又は連結ナットに当接して一体に回転可能な工具を装着する装着孔を設けてなる構成を有することにより、ワッシャ部と回転阻止カバー部とが一体な断面凹型の強固な構造の回転阻止カバー体付ワッシャによって、連結ボルト頭部又は連結ナットの周囲を強固に保護することができる効果がある一方、回転阻止カバー部の装着孔に工具を装着して連結ボルト頭部又は連結ナットを一体に回転して簡単に締め付けることができると共に、締め付け完了と同時に防犯カバー体の取り付けも迅速に完了する効果がある。
【０００９】
また、本考案は、請求項２に記載の通り、請求項１に記載の装置において、回転阻止カバー部に設けた装着孔が、工具のねじ軸を螺合して装着するねじ孔からなる構成を有することにより、回転阻止カバー体に工具をねじ込み装着して連結ボルト頭部又は連結ナットを一体に回転して簡単に締め付けることができる効果がある。
【００１０】
また、本考案は、請求項３に記載の通り、請求項１又は２に記載の装置において、回転阻止カバー部に設けた装着孔に合致する位置に、工具のねじ軸を螺合して装着するねじ孔を有する工具装着リングを回転阻止カバー部に着脱自在に設けてなる構成を有することにより、回転阻止カバー部の厚さや装着孔のねじの有無や構造にかかわらず、回転阻止カバー体に着脱自在に工具装着リングを装着してして工具をねじ込み固定して連結ボルト頭部又は連結ナットを一体に回転して簡単に締め付けることができる効果がある。
【００１１】
また、本考案は、請求項４に記載の通り、請求項３に記載の装置のおいて、工具装着リングにハンドルを設けてなる構成を有するから、ハンドルを持って、工具装着リング及び工具の回転阻止カバー体付ワッシャへの着脱操作を容易に行うことができるようにする効果があると共に、連結ボルト頭部の着脱回転操作を軽快に強力に行うことができる効果がある。
【考案を実施するための最良の形態】
【００１２】
以下図示する実施例により、本考案を説明する。
【実施例１】
【００１３】
図１及び図２に記載の実施例において、１は連結ボルト頭部で、そのボルト軸２は、締結板２２の大孔２３を挿通して連結板２１の裏側に一体に溶接して固定した連結ナット２０にねじ込まれて、締結板２２と連結板２１とを挟持して固定するように設けてある。
この場合、連結板２１の挿通孔２４をねじ孔に構成して、連結ナット２０の代わりにすることも勿論可能である。
【００１４】
１０は本考案に係る回転阻止カバー体付ワッシャで、連結ボルト頭部１の締め付け面にボルト軸２を中心に回転自在に接するワッシャ部１１と、連結ボルト頭部１の周囲を覆う円筒状の回転阻止カバー部１２とから、その断面形状が凹型になるように一体に製造してある。
回転阻止カバー部１２の内周面１３は、連結ボルト頭部１の角部３に回転可能に密着して着脱可能に嵌合し、その隙間に工具等を差し込めないように構成してある。
また、ボルト軸２は、連結ボルト頭部１が回転阻止カバー部１２より上方の位置において連結ナット２０に螺合し、連結ボルト頭部２が回転阻止カバー部１２に覆われる位置まで通常の手段でねじ込み操作ができる長さに構成してある。
【００１５】
また、この実施例の場合、回転阻止カバー部１２には、連結ボルト頭部１の辺部４に垂直に相対可能に、工具装着孔１４としてねじ孔が設けてあり、このねじ孔に工具３０のねじ軸部３１が螺合して、ねじ軸部の先端固定部３２が辺部４に当接して、連結ボルト頭部１をワッシャ１０と一体に回転することができるように構成してある。
なお、工具装着孔１４のねじ孔と、これに固定可能に装着する工具３０のねじ軸部３１のねじによる連結固定手段は、バイヨネット式連結手段やワンタッチ連結手段からなる他の従来公知の連結固定手段にすることができることは勿論である。
【００１６】
従って、この実施例の場合、連結ナット２０にボルト軸２をねじ込むとき、連結ボルト頭部１が回転阻止カバー部１２に嵌合するまで、連結ボルト頭部１をスパナや手指で連結ナット２０にねじ込み、その後、工具３０を使って回転阻止カバー部１２と連結ボルト頭部１を一体的に回転して強固に締結することができる。
締結後に工具３０を取り外した連結ボルト頭部１は凹型の変形し難い強固なワッシャ１０に守られ、ワッシャ１０の回転防止カバー部１２を潰したりして回転することが困難であり、仮にワッシャ１０を回転することができたとしても空転するだけで、連結ボルト頭部１本体を回転することはできない。
【実施例２】
【００１７】
図３に記載の実施例においては、隣接する２枚の締結板２２を連結板２１により一体に連結すべく、それぞれの締結板２２の大孔２３を大型ワッシャ２５を介して回転阻止カバー体付ワッシャ１０により連結ボルト頭部１を保護して固定してあり、ボルト軸２は、締結板２２の大孔２３を挿通して連結板２１の裏側に一体に溶接して固定した連結ナット２０にねじ込まれて、締結板２２と連結板２１とを挟持して固定するように構成してあり、隣接する２枚の締結板２２を連結板２１により一体に連結して、第３者が意図的に一方の締結板２２を持ち去ることができない。
【実施例３】
【００１８】
図４に記載の実施例は、ワッシャ１０の回転阻止カバー部１２に設けた装着孔１４に合致する位置に、工具３０のねじ軸３１を螺合して装着する装着孔３３としてのねじ孔を有する工具装着リング３５を回転阻止カバー部１２に着脱自在に設けてなる構成を有する。
このことにより、回転阻止カバー部１２の厚さや装着孔１４のねじの有無や構造にかかわらず、回転阻止カバー部１２の周囲に着脱自在に工具装着リング３５を装着して、工具３０のねじ軸３１をねじ孔３３にねじ込み、ねじ軸先端固定部３２を回転阻止カバー部１２の装着孔１４を貫通させて挿入し、連結ボルト頭部１の辺部４に当接固定して、連結ボルト頭部１をワッシャ１０及び工具装着リング３５と一体に回転して簡単に締め付けることができる。
【実施例４】
【００１９】
図５に記載の実施例においては、ハンドル３４を一体に有する工具装着リング３５のハンドル３４と重なり合わない部分に設けたねじ孔３３に、工具３０のねじ軸３１を螺合し、ワッシャ１０の回転阻止カバー部１２に設けた装着孔１４を挿通して、ねじ軸先端固定部３２を連結ボルト頭部１の辺部４に当接固定することができる構成にすると共に、工具３０の反対側の工具装着リング３５に、ワッシャ１０の回転阻止カバー部１２に設けた装着孔１４を挿通して、ねじ軸先端固定部３２の反対側の連結ボルト頭部１の辺部４に当接する固定ピン３６を設けてある。
【００２０】
この実施例によれば、固定ピン３６をワッシャ１０の回転阻止カバー部１２に設けた装着孔１４に嵌着して連結ボルト頭部１の辺部４に当接させ、次いで、反対側の工具装着リング３５に螺合した工具３０のねじ軸３１のねじ軸先端固定部３２をワッシャ１０の装着孔１４を挿通させて連結ボルト頭部１の辺部４に当接固定することにより、ハンドル３４を持って連結ボルト頭部１をワッシャ１０及び工具装着リング３５と一体に回転して簡単に締め付けることができる。
【００２１】
この構成の場合、不使用時に、工具３０を工具装着リング３５にねじ込んで保管することができる効果がある。
また、工具装着リングの装着孔３３のねじ孔と、これに固定可能に装着する工具３０のねじ軸部３１のねじによる連結固定手段は、バイヨネット式連結手段やワンタッチ連結手段からなる他の従来公知の連結固定手段にすることができることは勿論である。
なお、上記の各実施例において、固定された連結ナット２０に螺合すべき連結ボルトのボルト頭部１に回転阻止カバー体付ワッシャ１０を装着する場合について説明してあるが、当該ワッシャ１０を固定された連結ボルトに螺合すべき連結ナット２０に装着して回転阻止する場合についても同様に実施をすることができることは勿論である。
【図面の簡単な説明】
【００２２】
【図１】本考案の一実施例の要部を示す概略一部縦断正面図。
【図２】その概略平面図。
【図３】他の実施例の要部を示す概略一部縦断正面図。
【図４】他の実施例の要部を示す概略一部縦断正面図。
【図５】他の実施例の要部を示す概略一部縦断正面図。
【符号の説明】
【００２３】
１    連結ボルト頭部
２    ボルト軸
３    角部
４    辺部
１０  ワッシャ
１１  ワッシャ部
１２  回転阻止カバー部
１３  内周面
１４  装着孔（ねじ孔）
２０  連結ナット
２１  連結板
２２  締結板
２３  大孔
２４  挿通孔
２５  大型ワッシャ
３０  工具
３１  ねじ軸部
３２  先端固定部
３３  装着孔（ねじ孔）
３４  ハンドル
３５  工具装着リング
３６  固定ピン
【図１】
0003121214.tif 000003
【図２】
0003121214.tif 000004
【図３】
0003121214.tif 000005
【図４】
0003121214.tif 000006
【図５】
0003121214.tif 000007